(57)【要約】本発明は、靴の正しいサイズを測定するためのシステムからなる。特にそのシステムは、足の親指或いは人差し指の高さで靴の先端に配置され、前記足の指がセンサーに触れた時発光ダイオード（２）からなる好ましくは光の合図をオンにするセンサー（１）によって形成される。このような方法で、靴のサイズが正しいかどうかを確認することがいつでもでき、このことはもはや靴が足のサイズに合っていない時にほとんどその事を言う事ができない子供に特に重要である。
2004505702.tif 000002
【特許請求の範囲】
【請求項１】
靴を履く足のために靴の正しいサイズを測定するためのシステムであり、
靴底の先端に配置されたセンサー（１）によって足の親指或いは人差し指の位置を検出するための手段と、
前記センサーを前記指で作動させる時にオンになり、発光ダイオード（２）又は他の音或いは視覚的報知によって前記足の親指或いは人差し指と前記センサーとの接触を報知する手段と、
バッテリー（３）により動力が供給される電気回路（４）によって前記センサーを前記発光ダイオード又は他の音或いは視覚的報知システムと接続する手段と、
を含むことを特徴とするシステム。
【請求項２】
前記システムが、前記靴の内側に取り付けられ互いに接続された発光ダイオード、バッテリー、センサーにより形成され、前記足の親指或いは人差し指が靴の先端で靴の甲に近接しすぎている時に報知するために、この場合前記指は前記センサーを作動させ、前記靴が短すぎる事を意味するべく前記発光ダイオードをオンにすることを特徴とする請求項１のシステム。
【請求項３】
前記足の親指或いは人差し指の接触が悪く、前記靴が短すぎることが判明する靴底の先端のポイントに前記センサーが取り付けられ、このようにして、前記指が前記センサーに触れた場合、このセンサーが前記悪い位置であることを報知することを特徴とする請求項１のシステム。
【請求項４】
前記センサーが、前記足の親指或いは人差し指を歩行中に約１ｃｍ前へ動かすことができる位置を越えた位置、つまり靴の甲に非常に近接した位置に取り付けられ、その前記センサーに前記指が接触する時、前記足の親指或いは人差し指は「危険な領域」、つまり前記靴の甲から１ｃｍ未満のところにあり、これにより前記センサーが作動し、前記発光ダイオードによりこの靴が短すぎることをすぐに報知することを特徴とする請求項１のシステム。
【請求項５】
前記センサーが、前記足の親指或いは人差し指の高さ、前記靴の甲から約１ｃｍ、すなわち正しく歩行するために必要な最小のスペースをとる位置に取り付けられることを特徴とする請求項１のシステム。
【請求項６】
前記報知システムが、前記靴の美しさを損なわないように踵或いは他の場所に取り付けられ、前記足の親指或いは人差し指が前記靴の先端から約１ｃｍのところにある場合報知し、光ることを特徴とする請求項１のシステム。
【請求項７】
前記足の指によって前記センサーを作動させた後に発する報知は、前記靴が短すぎる時に外部に報知をするための音でもよいし、前記靴の外側から見ることができる発光ダイオードの光からなる視覚的なものでもよいことを特徴とする請求項１のシステム。
【請求項８】
前記センサー、前記バッテリー及び前記発光ダイオードからなる全システムが前記靴底の内部に含まれ、靴の中敷がカバーの役割をすることを特徴とする請求項１のシステム。
【請求項９】
前記バッテリーと前記発光ダイオードは、前記靴底の内部に取り付けられ、前記センサー及び関連する接続は中敷の下に設けられることを特徴とする請求項１のシステム。
【請求項１０】
バッテリー、発光ダイオード、センサー及び接続からなる前記全システムは、靴の中に挿入される中敷に収容されることを特徴とする請求項１のシステム。
【発明の詳細な説明】
【０００１】
（技術分野）
本発明は、履物、特に履物に接続され或いは取り付けられる付属品の生産の技術領域に関し、本発明は足のために靴の正しい長さを正確に測定することを可能にする。
【０００２】
誰でも、自分の足のサイズに合わない靴を着用していることで起こる難点を知っている。靴の内側で足の親指或いは人差し指が靴の先端で靴の甲に触れる短い靴は、外反母趾或いは肉に食い込む足の爪と同様の奇形或いは病気を引き起こすことがある。足の親指或いは人差し指は、一般に正しく歩くためには少なくとも１ｃｍのスペースを必要とする。
【０００３】
（背景技術）
現在、靴のサイズが足に合っているかどうかを確かめるシステムは１つだけである。足の親指或いは人差し指への接触の具合を試すために靴の先端の靴の甲を押すことで十分である。明らかに、これは経験による方法であり、特に子供にはこの方法はあまり機能的ではない。
【０００４】
現在、購入する際に正しいサイズを確認することが可能な靴はなく、従って、購入した靴がしばらくして履き心地が悪くなり、短すぎるために履くことができなくなることがよくある。
子供は、１）靴を購入する場合に靴のサイズが正しいかどうかを自分で親に言うことができない、２）成長が速く、従って子供の靴は急速に小さくなるが彼らはその事を認識しない、の２つの理由によりこの問題に苦しむ。
【０００５】
これに対して、本発明のシステムの目的は、元の製品の価格に多額の費用を加えず、又着用者が感知することがない、単純かつ確実な方法で靴の正しいサイズを確立することを可能にすることである。
【０００６】
本発明の目的は、以下の記載でより良く示されるように、上記の難点を避けることである。
【０００７】
（発明の開示）
本質的な構造にまで削減し、添付の図面を参照すると本発明の、靴を履く足のために靴の正しいサイズを測定するためのシステムは、
靴底の先端に配置されたセンサー（１）によって足の親指或いは人差し指の位置を検出するための手段と、
センサーを前記指で作動させた時にオンになり、発光ダイオード（２）又は他の音或いは視覚的報知によって足の親指或いは人差し指とセンサーとの接触を報知する手段と、
バッテリー（３）により動力が供給される電気回路（４）によってセンサーを発光ダイオード又は他の音或いは視覚的報知システムと接続する手段と、
を含む。
【０００８】
好ましくは、靴の適切なサイズを測定するための本システムは、靴の内側に取り付けられ互いに接続された発光ダイオード、バッテリー、センサーにより形成され、足の親指或いは人差し指が靴の先端の靴の甲に近接しすぎている時に報知をするために、この場合指がセンサーを作動させ、靴が短すぎる事を意味する発光ダイオードをオンにする。
【０００９】
好ましくは、足の親指或いは人差し指の接触が悪く、前記靴が短すぎることが判明する靴底の先端のポイントにセンサーが取り付けられる。このようにして、前記指がセンサーに触れた場合、悪い位置であることを報知する。
【００１０】
好ましくは、センサーは、足の親指或いは人差し指が歩行中に約１ｃｍ前へ動かすことができる位置を越えた位置、つまり靴の甲に非常に近接した位置に取り付けられる。
センサーに接触する時、足の親指或いは人差し指は「危険な領域」、つまり靴の甲から１ｃｍ未満のところにあるため、センサーが作動し発光ダイオードによりこの靴が短すぎることを報知する。
【００１１】
好ましくは、センサーは、足の親指或いは人差し指の高さ、靴の甲から約１ｃｍ、すなわち歩行するために必要な最小のスペースに取り付けられる。好ましくは、報知システムは、靴の美しさを損なわないように踵或いは他の場所に取り付けられ、足の親指或いは人差し指が靴の先端から約１ｃｍのところにある場合報知をし、光る。
【００１２】
好ましくは、足の指によってセンサーを作動させた後に発した報知は、靴が短すぎる時に外部に報知するために音でもよいし、靴の外側から見ることができる発光ダイオードの光からなる視覚的なものでもよい。
前記システムは、靴が最初正しいサイズで、その後短くなった時にも着用者に警告するという長所を有し、このことは特に子供に重要である。
【００１３】
図３を参照し、好ましくはセンサー、バッテリー及び発光ダイオードからなる全システムは靴底の内部に収容され、中敷がカバーの役割をする。
【００１４】
図４を参照し、好ましくは、バッテリーと発光ダイオードは、靴底の内部に取り付けられ、センサー及び関連する接続は中敷の下に設けられる。図５を参照し、好ましくは、センサー、バッテリー、発光ダイオード及び接続からなる全システムは、靴の中に挿入される中敷に収容される。
【図面の簡単な説明】
【図１】靴底の上に取り付けられる、本発明のシステムを作動させる電気回路の概略図を示す。足の親指或いは人差し指の高さに設けられる、スイッチの役割をするセンサー（１）を示す。一度センサーを足の指で作動させれば、踵或いは他の場所に設けられた発光ダイオード（２）がオンになる。このシステムは、バッテリー（３）及び単純な発光ダイオードを含む回路（４）と連動する。
【図２】図１のシステムの電気回路を示す。
【図３】システムが完全に靴底の中に設けられ、中敷がカバーとなっている靴を示す。
【図４】センサー及び接続が中敷の下に設けられ、バッテリー及び発光ダイオードが靴底の内側に収容される靴の分解図を示す。
【図５】システムの全てを収容した靴の中敷を示す。
【図６】システムが靴底の中に設けられた靴の側面部を示す。
【図７】足が靴の先端の靴の甲に触れること及びその結果生じる問題を防ぐシステムの有用性をより良く示し、図６と同じ部分を足を含んだ状態で示す。
【国際公開パンフレット】
2004505702.tif 000003
2004505702.tif 000004
2004505702.tif 000005
2004505702.tif 000006
2004505702.tif 000007
2004505702.tif 000008
2004505702.tif 000009
2004505702.tif 000010
2004505702.tif 000011
2004505702.tif 000012
2004505702.tif 000013
2004505702.tif 000014
2004505702.tif 000015
【手続補正書】
【提出日】平成14年11月7日(2002.11.7)
【手続補正１】
【補正対象書類名】明細書
【補正対象項目名】全文
【補正方法】変更
【補正の内容】
【発明の詳細な説明】
【書類名】明細書
【発明の名称】靴の正しいサイズを測定するためのシステム
【特許請求の範囲】
【請求項１】センサー、発光ダイオード、又は他の音或いは視覚的報知及び電気回路で、靴を履く足のために靴の正しいサイズを測定するためのシステムであり、
中敷の先端に配置された足の親指或いは人差し指の位置を検出するためのセンサー（１）と、
センサーを前記指で作動させる時にオンになり、前記靴の中敷に設けられ、前記足の親指或いは人差し指と前記センサーとの接触を報知する発光ダイオード（２）、又は他の音或いは視覚的報知と、
バッテリー（３）により動力が供給され、前記センサーを前記発光ダイオード或いは他の音或いは視覚的報知システムと接続するための電気回路（４）及び靴の中敷の中に設けられる該電気回路及び前記バッテリーと、
を含むことを特徴とするシステム。
【請求項２】バッテリー、発光ダイオード、センサー及び接続からなる前記全システムは、靴の中に挿入される中敷に収容されることを特徴とする請求項１のシステム。
【請求項３】互いに接続される発光ダイオード、バッテリー、センサーを含み、前記足の親指或いは人差し指が前記靴の先端で靴の甲に近接しすぎている時に報知をするために、この場合指はセンサーを作動させ、靴が短すぎる事を意味するべく発光ダイオードをオンにすることを特徴とする請求項１の、靴の中に挿入される中敷。
【請求項４】前記足の親指或いは人差し指の接触が悪く、前記靴が短すぎることが判明する靴の中敷の先端のポイントに前記センサーが取り付けられ、このようにして、前記指が前記センサーに触れた場合、このセンサーが前記悪い位置であることを報知することを特徴とする請求項１のシステム。
【請求項５】前記センサーが、前記足の親指或いは人差し指を歩行中に約１ｃｍ前へ動かすことができる位置を越えた位置、つまり靴の甲に非常に近接した位置に取り付けられ、その前記センサーに前記指が接触する時、前記足の親指或いは人差し指は「危険な領域」、つまり前記靴の甲から１ｃｍ未満のところにあり、これにより前記センサーが作動し、前記発光ダイオードによりこの靴が短すぎることをすぐに報知することを特徴とする請求項１のシステム。
【請求項６】前記センサーが、前記足の親指或いは人差し指の高さ、前記靴の甲から約１ｃｍ、すなわち正しく歩行するために必要な最小のスペースをとる位置に取り付けられることを特徴とする請求項１のシステム。
【請求項７】前記報知システムが、前記靴の美しさを損なわないように踵或いは他の場所に取り付けられ、前記足の親指或いは人差し指が前記靴の先端から約１ｃｍのところにある場合報知し、光ることを特徴とする請求項１のシステム。
【請求項８】前記足の指によって前記センサーを作動させた後に発する報知は、前記靴が短すぎる時に外部に報知をするための音でもよいし、前記靴の外側から見ることができる発光ダイオードの光からなる視覚的なものでもよいことを特徴とする請求項１のシステム。
【請求項９】前記バッテリーと前記発光ダイオードは、前記靴底の内部に取り付けられ、前記センサー及び関連する接続は中敷の下に設けられることを特徴とする請求項１のシステム。
【発明の詳細な説明】
【０００１】
（技術分野）
本発明は、履物、特に履物に接続され或いは取り付けられる付属品の生産の技術領域に関し、本発明は足のために靴の正しい長さを正確に測定することを可能にする。
【０００２】
誰でも、自分の足のサイズに合わない靴を着用していることで起こる難点を知っている。靴の内側で足の親指或いは人差し指が靴の先端で靴の甲に触れる短い靴は、外反母趾或いは肉に食い込む足の爪と同様の奇形或いは病気を引き起こすことがある。足の親指或いは人差し指は、一般に正しく歩くためには少なくとも１ｃｍのスペースを必要とする。
【０００３】
（背景技術）
現在、靴のサイズが足に合っているかどうかを確かめる最も一般的なシステムは、足の親指或いは人差し指への接触の具合を試すために靴の甲の先端を押すことである。明らかに、これは経験による方法であり、特に子供にはこの方法はあまり機能的ではない。
【０００４】
現在、購入する際に正しいサイズを確認することが可能な靴はなく、従って、購入した靴がしばらくして履き心地が悪くなり、短すぎるために履くことができなくなることがよくある。
子供は、１）靴を購入する場合に靴のサイズが正しいかどうかを自分で親に言うことができない、２）成長が速く、従って子供の靴は急速に小さくなるが彼らはその事を認識しない、の２つの理由によりこの問題に苦しむ。
靴のサイズを測定するためのシステムを記載したＤＥ１９７２７２０１号の特許が知られている。この特許は、センサーが靴の内側の甲の前部に取り付けられ、電気回路の部品が靴底の内部に収容される靴に関する。この特許には、
１）製造段階において靴の甲は引き伸ばされ、先端のセンサーは必然的に壊されるので製造することが不可能であり、靴が完成したらセンサーを挿入する事は不可能である、
２）電気回路が靴に一体化されているので、この発明の対象の靴は洗うことができない、
の２つの重大な欠点がある。
別の特許として、電気回路を含むが靴のサイズを測定する機能を持たない、着用者の歩行或いは走行の足取りの分析を可能にする中敷に関する米国特許第４，７４５，９３０号が知られている。
【０００５】
これに対して、本発明のシステムの目的は、元の製品の価格に多額の費用を加えず、又着用者が感知することがない、単純かつ確実な方法で靴の正しいサイズを確立することを可能にすることである。
【０００６】
本発明の目的は、以下の記載でより良く示されるように、上記の難点を避けることである。
【０００７】
（発明の開示）
本質的な構造にまで削減し、添付の図面を参照すると本発明の、靴を履く足のために靴の正しいサイズを測定するためのシステムは、
靴底の先端に配置されたセンサー（１）によって足の親指或いは人差し指の位置を検出するための手段と、
センサーを前記指で作動させた時にオンになり、発光ダイオード（２）又は他の音或いは視覚的報知によって足の親指或いは人差し指とセンサーとの接触を報知する手段と、
バッテリー（３）により動力が供給される電気回路（４）によってセンサーを発光ダイオード又は他の音或いは視覚的報知システムと接続する手段と、
を含む。
【０００８】
好ましくは、靴の適切なサイズを測定するための本システムは、靴の内側に取り付けられ互いに接続された発光ダイオード、バッテリー、センサーにより形成され、足の親指或いは人差し指が靴の先端の靴の甲に近接しすぎている時に報知をするために、この場合指がセンサーを作動させ、靴が短すぎる事を意味する発光ダイオードをオンにする。
【０００９】
好ましくは、足の親指或いは人差し指の接触が悪く、前記靴が短すぎることが判明する靴底の先端のポイントにセンサーが取り付けられる。このようにして、前記指がセンサーに触れた場合、悪い位置であることを報知する。
【００１０】
好ましくは、センサーは、足の親指或いは人差し指が歩行中に約１ｃｍ前へ動かすことができる位置を越えた位置、つまり靴の甲に非常に近接した位置に取り付けられる。
センサーに接触する時、足の親指或いは人差し指は「危険な領域」、つまり靴の甲から１ｃｍ未満のところにあるため、センサーが作動し発光ダイオードによりこの靴が短すぎることを報知する。
【００１１】
好ましくは、センサーは、足の親指或いは人差し指の高さ、靴の甲から約１ｃｍ、すなわち歩行するために必要な最小のスペースに取り付けられる。好ましくは、報知システムは、靴の美しさを損なわないように踵或いは他の場所に取り付けられ、足の親指或いは人差し指が靴の先端から約１ｃｍのところにある場合報知をし、光る。
【００１２】
好ましくは、足の指によってセンサーを作動させた後に発した報知は、靴が短すぎる時に外部に報知するために音でもよいし、靴の外側から見ることができる発光ダイオードの光からなる視覚的なものでもよい。
前記システムは、靴が最初正しいサイズで、その後短くなった時にも着用者に警告するという長所を有し、このことは特に子供に重要である。
【００１３】
図３を参照し、好ましくはセンサー、バッテリー及び発光ダイオードからなる全システムは靴底の内部に収容され、中敷がカバーの役割をする。
【００１４】
図４を参照し、好ましくは、バッテリーと発光ダイオードは、靴底の内部に取り付けられ、センサー及び関連する接続は中敷の下に設けられる。図５を参照し、好ましくは、センサー、バッテリー、発光ダイオード及び接続からなる全システムは、靴の中に挿入される中敷に収容される。
【図面の簡単な説明】
【図１】靴底の上に取り付けられる、本発明のシステムを作動させる電気回路の概略図を示す。足の親指或いは人差し指の高さに設けられる、スイッチの役割をするセンサー（１）を示す。一度センサーを足の指で作動させれば、踵或いは他の場所に設けられた発光ダイオード（２）がオンになる。このシステムは、バッテリー（３）及び単純な発光ダイオードを含む回路（４）と連動する。
【図２】図１のシステムの電気回路を示す。
【図３】システムが完全に靴底の中に設けられ、中敷がカバーとなっている靴を示す。
【図４】センサー及び接続が中敷の下に設けられ、バッテリー及び発光ダイオードが靴底の内側に収容される靴の分解図を示す。
【図５】システムの全てを収容した靴の中敷を示す。
【図６】システムが靴底の中に設けられた靴の側面部を示す。
【図７】足が靴の先端の靴の甲に触れること及びその結果生じる問題を防ぐシステムの有用性をより良く示し、図６と同じ部分を足を含んだ状態で示す。
【国際調査報告】
2004505702.tif 000016
2004505702.tif 000017